(57)【要約】【課題】フレキシブル導電部材について簡素な構成で必要十分な保持力を得ることが可能なコネクタを提供する。【解決手段】所定ピッチで並ぶ複数の導体２ｂを有するフレキシブル導電部材２の端縁に取り付けられる第１ハウジング部１０と、前記第１ハウジング部１０と嵌合する第２ハウジング部２０と、を備えたコネクタ１において、前記第１ハウジング部１０には、前記複数の導体２ｂのピッチ方向に沿って並ぶ複数の係合突起部１５を設け、前記複数の係合突起部１５の少なくとも一つは、前記ピッチ方向の央部領域に配する。【選択図】図４
2019145309.tif 000002
【特許請求の範囲】
【請求項１】
所定ピッチで並ぶ複数の導体を有するフレキシブル導電部材の端縁に取り付けられる第１ハウジング部と、
前記第１ハウジング部と嵌合する第２ハウジング部と、を備え、
前記第１ハウジング部には、前記複数の導体のピッチ方向に沿って並ぶように前記フレキシブル導電部材に形成された複数の開孔部のそれぞれと係合する複数の係合突起部が設けられており、
前記複数の係合突起部の少なくとも一つは、前記ピッチ方向の央部領域に配されている
コネクタ。
【請求項２】
前記複数の係合突起部は、前記ピッチ方向に沿って一列に並ぶように配されている
請求項１に記載のコネクタ。
【請求項３】
前記複数の係合突起部は、前記ピッチ方向に沿って等間隔で並ぶように配されている
請求項１または２に記載のコネクタ。
【請求項４】
前記複数の係合突起部は、前記複数の導体が並ぶピッチの１つ置きに配されている
請求項３に記載のコネクタ。
【請求項５】
前記複数の係合突起部は、前記ピッチ方向に沿って疎密を有した間隔で並ぶように配されている
請求項１または２に記載のコネクタ。
【請求項６】
前記複数の係合突起部は、前記ピッチ方向の央部を挟んで非対称に配されている
請求項１または２に記載のコネクタ。
【請求項７】
前記係合突起部は、円状に形成された前記開孔部と係合する形状を有している
請求項１から６のいずれか１項に記載のコネクタ。
【請求項８】
前記係合突起部は、前記フレキシブル導電部材の挿入側に面して形成された傾斜面を有している
請求項１から７のいずれか１項に記載のコネクタ。
【発明の詳細な説明】
【技術分野】
【０００１】
本発明は、コネクタに関する。
【背景技術】
【０００２】
近年、各種電子機器、民生用（家庭用）電化製品、自動車用電装品等の幅広い用途で、可撓性を有するフレキシブル導電部材が用いられている。フレキシブル導電部材は、ＦＰＣ（Ｆｌｅｘｉｂｌｅ  Ｐｒｉｎｔｅｄ  Ｃｉｒｃｕｉｔｓ）またはＦＦＣ（Ｆｌｅｘｉｂｌｅ  Ｆｌａｔ  Ｃａｂｌｅ）として知られているもので、所定ピッチで並ぶ複数の導体を有する薄いシート状のものである。このようなフレキシブル導電部材は、ＦＰＣ／ＦＦＣコネクタと呼ばれるコネクタを利用して、そのコネクタが装着される配線基板の配線と電気的に接続されることが一般的である。ＦＰＣ／ＦＦＣコネクタとしては、例えば、フレキシブル導電部材の両サイド部に形成された凹部等の被位置決め部に係合する位置決め部を有し、これらの係合によりフレキシブル導電部材とコネクタハウジング部との装着状態を保持するように構成されたものがある（例えば、特許文献１参照）。
【先行技術文献】
【特許文献】
【０００３】
【特許文献１】特開２０１２−２０９０７９号公報
【発明の概要】
【発明が解決しようとする課題】
【０００４】
しかしながら、フレキシブル導電部材の両サイド部における係合を利用した保持構造では、当該フレキシブル導電部材の央部領域が支持されないので、必要十分な保持力が得られるとは限らない。例えば、フレキシブル導電部材に外力が加わった場合には、当該フレキシブル導電部材の可撓性により央部領域に撓みが生じてしまい、そのために保持状態が維持されなくなるおそれがある。このことは、導体の数（芯数）が多く（例えば３６芯）幅広に構成されたフレキシブル導電部材ほど、顕著に生じ得る。
【０００５】
その一方で、必要十分な保持力を得るために保持構造の複雑化を招いてしまうことは、フレキシブル導電部材またはコネクタハウジング部の汎用化への対応が困難になり得ることから好ましくなく、またコスト面および作業性の点でも好ましくない。
【０００６】
そこで、本発明は、フレキシブル導電部材について簡素な構成で必要十分な保持力を得ることを可能にするコネクタを提供することを目的とする。
【課題を解決するための手段】
【０００７】
本発明の一態様によれば、
所定ピッチで並ぶ複数の導体を有するフレキシブル導電部材の端縁に取り付けられる第１ハウジング部と、
前記第１ハウジング部と嵌合する第２ハウジング部と、を備え、
前記第１ハウジング部には、前記複数の導体のピッチ方向に沿って並ぶように前記フレキシブル導電部材に形成された複数の開孔部のそれぞれと係合する複数の係合突起部が設けられており、
前記複数の係合突起部の少なくとも一つは、前記ピッチ方向の央部領域に配されている
コネクタが提供される。
【発明の効果】
【０００８】
本発明によれば、フレキシブル導電部材について簡素な構成で必要十分な保持力を得ることが可能なコネクタを提供することができる。
【図面の簡単な説明】
【０００９】
【図１】本発明の一実施形態に係るコネクタの概略構成の一例を模式的に示す斜視図である。
【図２】本発明の一実施形態に係るコネクタの第１ハウジング部が取り付けられるフレキシブル導電部材の一例であるＦＰＣの概略構成を示す側断面図である。
【図３】図２に示すＦＰＣの要部構成を示す説明図である。
【図４】本発明の一実施形態に係るコネクタの第１ハウジング部の一例の要部構成を示す説明図である。
【図５】本発明の一実施形態に係るコネクタによる接続確立の手順の一例を示す説明図（その１）である。
【図６】本発明の一実施形態に係るコネクタによる接続確立の手順の一例を示す説明図（その２）である。
【図７】本発明の一実施形態に係るコネクタによる接続確立の手順の一例を示す説明図（その３）である。
【図８】本発明の一実施形態に係るコネクタによる接続確立の手順の一例を示す説明図（その４）である。
【発明を実施するための形態】
【００１０】
以下、本発明の一実施形態に係るコネクタについて、図面を参照しながら説明する。
【００１１】
（１）コネクタの概略構成
先ず、本実施形態に係るコネクタの概略構成について説明する。
図１は、本実施形態に係るコネクタの概略構成の一例を模式的に示す斜視図である。
【００１２】
（全体構成）
本実施形態で説明するコネクタ１は、ＦＰＣ／ＦＦＣコネクタと呼ばれるもので、ＦＰＣまたはＦＦＣといったフレキシブル導電部材２における導体を、配線基板３における配線と電気的に接続するために用いられる。
【００１３】
そのために、コネクタ１は、フレキシブル導電部材２の端縁に取り付けられる第１ハウジング部１０と、配線基板３に装着された第２ハウジング部２０と、を備えており、第１ハウジング部１０と第２ハウジング部２０とが嵌合し得るように構成されている。
【００１４】
（フレキシブル導電部材）
フレキシブル導電部材２は、上述したように、ＦＰＣまたはＦＦＣとして知られているもので、所定ピッチで並ぶ複数の導体を有する薄いシート状のものである。なお、フレキシブル導電部材２の具体的な構成については、詳細を後述する。
【００１５】
（第１ハウジング部）
第１ハウジング部１０は、フレキシブル導電部材２の端縁に取り付けられて用いられるもので、絶縁性を有する樹脂材料（例えば、ポリブチレンテレフタレート：ＰＢＴ）の一体成型加工によって形成されたものである。また、第１ハウジング部１０は、フレキシブル導電部材２の端縁に取り付けられた状態で、そのフレキシブル導電部材２の端縁近傍に形成された端子面（接触面）が露出する形状に形成されている。このように形成されていることから、第１ハウジング部１０については、「雄ハウジング」または「Ｍ（ｍａｌｅ）ハウジング」と称されることもある。
【００１６】
また、第１ハウジング部１０には、第２ハウジング部２０との嵌合状態を維持しつつ確実な抜け止めを実現するための第１ロック機構部１１が設けられている。第１ロック機構部１１は、例えば、第２ハウジング部２０におけるラッチ部（係止孔または係止溝等）と係合するフックを有するアーム部によって構成されている。つまり、第１ロック機構部１１は、ロックする際には操作を必要としないが、ロックを解除する際にはオペレータの手指等によって操作する必要がある、いわゆるポジティブロック構造を構成するものとなっている。ただし、必ずしもこれに限定されることはなく、ラッチ部とアーム部が逆であってもよい。また、ラッチ部とアーム部とからなるポジティブロック構造ではなく、他の公知技術を利用して構成されたものであってもよい。
【００１７】
なお、第１ハウジング部１０の具体的な構成については、詳細を後述する。
【００１８】
（第２ハウジング部）
第２ハウジング部２０は、配線基板３に装着されて用いられるもので、ガラス繊維（ＧＦ）を含有する高耐熱樹脂材料（例えば、ポリアミド：ＰＡ、液晶ポリマー：ＬＣＰ等）の一体成型加工によって形成されたものである。また、第２ハウジング部２０は、第１ハウジング部１０と嵌合するための嵌合凹部２１を備えており、その嵌合凹部２１の内部に導電性を有する金属材料（例えば、銅合金）によって形成されたリセ（receptacle）端子（ただし不図示）が配されている。リセ端子は、フレキシブル導電部材２が有する端子面（接触面）に対応するように配されており、第１ハウジング部１０と第２ハウジング部２０との嵌合状態で当該端子面と接触するようになっている。このように形成されていることから、第２ハウジング部２０については、「雌ハウジング」または「Ｆ（ｆｅｍａｌｅ）ハウジング」と称されることもある。
【００１９】
また、第２ハウジング部２０には、第１ハウジング部１０との嵌合状態を維持しつつ確実な抜け止めを実現するための第２ロック機構部２２が設けられている。第２ロック機構部２２は、例えば、第１ハウジング部１０におけるアーム部のフックと係合する係止孔または係止溝等を有するラッチ部によって構成されている。つまり、第２ロック機構部２２は、第１ロック機構部１１とともにポジティブロック構造を構成するものとなっている。ただし、必ずしもこれに限定されることはなく、ラッチ部とアーム部が逆であってもよい。また、ラッチ部とアーム部とからなるポジティブロック構造ではなく、他の公知技術を利用して構成されたものであってもよい。
【００２０】
（配線基板）
配線基板３は、各種電子機器、民生用（家庭用）電化製品、自動車用電装品等に搭載されて用いられるもので、絶縁性のある樹脂含浸基板上または当該基板内に銅箔等の導電体で配線（回路）パターンが形成されたものである。配線基板３に第２ハウジング部２０が装着されると、第２ハウジング部２０のリセ端子が配線基板３上の配線パターンと電気的に接続されることになる。なお、配線基板３上は、絶縁、防湿、防水等のために、ウレタン樹脂等の樹脂材料で封止するポッティング処理が施されていてもよい。
【００２１】
（２）フレキシブル導電部材の構成
次に、コネクタ１の第１ハウジング部１０が取り付けられるフレキシブル導電部材２について、具体的な構成を説明する。ここでは、フレキシブル導電部材２がＦＰＣである場合を例に挙げる。ただし、これに限定されることはなく、ＦＦＣであってもよいことはいうまでもない。
【００２２】
図２は、本実施形態におけるフレキシブル導電部材の一例であるＦＰＣの概略構成を示す側断面図である。また、図３は、図２に示すＦＰＣの要部構成を示す説明図であり、当該ＦＰＣの平面視構成を示す図である。
【００２３】
フレキシブル導電部材の一例であるＦＰＣ２は、柔軟に曲がる可撓性を有した薄いシート状（例えば０．３ｍｍ厚程度）のもので、図２に示すように、ポリイミドフィルムまたはポリエステルフィルム等によって形成された支持体２ａを有している。支持体２ａの一方の面上には、銅箔等によって形成された導体２ｂが配されている。導体２ｂは、ＦＰＣ２の端縁近傍領域を除き、ポリイミドフィルムまたはポリエステルフィルム等の絶縁カバー２ｃによって覆われている。絶縁カバー２ｃによって覆われていない端縁近傍領域では、導体２ｂが露出するとともに、その露出箇所に錫メッキ等の表面処理が施されることで、端子面（接触面）２ｄが形成されている。なお、端子面２ｄが形成される端縁近傍領域は、導体２ｂとは反対側の支持体２ａの面上に配されたガラスエポキシ樹脂板またはポリエステル樹脂板等の補強板２ｅによって補強されている。
【００２４】
また、ＦＰＣ２は、図３に示すように、短冊状（例えば０．７５ｍｍ幅程度）に形成された複数（例えば６〜３６芯程度）の導体２ｂが所定ピッチ（例えば１．５ｍｍピッチ程度）で並ぶように配されている。これに伴い、端子面２ｄも、各導体２ｂに個別に対応するように、複数（例えば６〜３６芯程度）が所定ピッチ（例えば１．５ｍｍピッチ程度）で並ぶように配されることになる。さらに、ＦＰＣ２には、導体２ｂおよび端子面２ｄが所定ピッチで並ぶ方向（以下「ピッチ方向」という。）に沿って、複数の開孔部２ｆが形成されている。
【００２５】
各開孔部２ｆは、いずれも、ＦＰＣ２の一方の面から他方の面に貫通するように、平面視した形状が円状に形成されている。ここでいう「円状」は、円のような形状のことであり、隅部または角部を有さない形状のことである。具体的には、代表的なものとして丸穴形状が挙げられるが、丸穴形状の他に、長円形状、楕円形状、長方形の角を丸くしてコーナＲを設けた四角形状等についても、ここでいう「円状」に含むものとする。開孔部２ｆが円状に形成されていれば、例えば隅部または角部のように応力集中が発生する箇所が存在しないので、薄厚のＦＰＣ２に応力集中による破損等が生じてしまうのを抑制し得るようになる。
【００２６】
また、各開孔部２ｆは、ピッチ方向に沿って、一列に、かつ、等間隔で並ぶように配されている。具体的には、各開孔部２ｆは、複数の導体２ｂおよび端子面２ｄが並ぶピッチの１つ置きに配されている。これにより、開孔部２ｆは、ピッチ方向の央部近傍領域を含む複数箇所に配されることになる。央部近傍領域を含む複数箇所に配されていれば、ピッチ方向の端部近傍領域（例えば、最端の端子面２ｄとその隣の端子面２ｄとの間）には、開孔部２ｆが配されていなくてもよい。
【００２７】
なお、ここでは、各開孔部２ｆが一列に、かつ、等間隔で並ぶ場合を例に挙げているが、これに限定されることはない。例えば、各開孔部２ｆが並ぶ列は、湾曲していてもよいし、千鳥状に配されていてもよい。また、各開孔部２ｆが並ぶ間隔は、疎密を有した間隔であってもよいし、ピッチ方向の央部を挟んで非対称に配されていてもよい。
【００２８】
（３）第１ハウジング部の構成
次に、ＦＰＣ２に取り付けられるコネクタ１の第１ハウジング部１０について、具体的な構成を説明する。
【００２９】
図４は、本実施形態における第１ハウジング部の一例の要部構成を示す説明図であり、当該第１ハウジング部の平面視構成を示す図である。
【００３０】
図４に示すように、第１ハウジング部１０には、ＦＰＣ２の端縁が挿入されて取り付けられる係合溝１２が形成されている。また、第１ハウジング部１０は、第２ハウジング部２０の嵌合凹部２１と嵌合するための嵌合凸部１３を備えている。そして、嵌合凸部１３に係合溝１２が内装されるように、それぞれが配されている。ただし、係合溝１２および嵌合凸部１３は、対向配置されて当該係合溝１２を構成する両壁面のうちの一方が形成されておらず、当該一方の壁面があるはずの箇所に開口部１４が形成されている。これにより、第１ハウジング部１０は、係合溝１２にＦＰＣ２の端縁に取り付けられた状態で、そのＦＰＣ２の端子面２ｄが開口部１４を通じて露出するように構成されている。また、第１ハウジング部１０には、係合溝１２を構成する他方の壁面に、開口部１４を通じて露出するように、複数の係合突起部１５が設けられている。
【００３１】
各係合突起部１５は、ＦＰＣ２に形成された複数の開孔部２ｆのそれぞれと係合するものである。そのため、各係合突起部１５は、円状に形成された開孔部２ｆと係合する形状を有している。具体的には、各係合突起部１５は、開孔部２ｆに対応するように、平面視した形状が円状（丸穴形状、長円形状、楕円形状、コーナＲを設けた四角形状等）に形成されている。
【００３２】
また、各係合突起部１５は、ＦＰＣ２の挿入側（図中矢印参照）に面して形成された傾斜面１５ａを有している。傾斜面１５ａは、係合突起部１５の頂部の角を切り落とすように配されている。これにより、傾斜面１５ａは、詳細を後述するように、ＦＰＣ２が係合突起部１５を乗り越えるように、そのＦＰＣ２を案内することになる。
【００３３】
さらに、各係合突起部１５は、ＦＰＣ２における開孔部２ｆと係合するものであることから、各開孔部２ｆに対応するように、ピッチ方向に沿って、一列に、かつ、等間隔で並ぶように配されている。具体的には、各係合突起部１５は、ＦＰＣ２における複数の導体２ｂおよび端子面２ｄが並ぶピッチの１つ置きに配されている。これにより、各係合突起部１５は、ピッチ方向の央部近傍領域を含む複数箇所に配されることになる。央部近傍領域を含む複数箇所に配されていれば、各開孔部２ｆと同様に、ピッチ方向の端部近傍領域には、係合突起部１５が配されていなくてもよい。
【００３４】
なお、ここでは、各係合突起部１５が一列に、かつ、等間隔で並ぶ場合を例に挙げているが、各開孔部２ｆに対応するものであれば、これに限定されることはない。例えば、各係合突起部１５が並ぶ列は、湾曲していてもよいし、千鳥状に配されていてもよい。また、各係合突起部１５が並ぶ間隔は、疎密を有した間隔であってもよいし、ピッチ方向の央部を挟んで非対称に配されていてもよい。
【００３５】
（４）コネクタの使用方法
次に、上述した構成のコネクタ１を使用して、ＦＰＣ２と配線基板３との間の接続を確立する場合の具体的な手順について説明する。
【００３６】
図５〜８は、本実施形態に係るコネクタによる接続確立の手順の一例を示す説明図である。
【００３７】
（第１ハウジング部の取り付け）
ＦＰＣ２と配線基板３との接続確立にあたっては、先ず、ＦＰＣ２への第１ハウジング部１０の取り付けを行う。
【００３８】
第１ハウジング部１０を取り付けるためには、図５に示すように、端子面２ｄおよび開孔部２ｆが形成されている側のＦＰＣ２の端縁を先端として、そのＦＰＣ２における端子面２ｄが第１ハウジング部１０における開口部１４の形成側を向く状態で、そのＦＰＣ２の端縁を第１ハウジング部１０における係合溝１２の溝内に挿入する（図中矢印参照）。そして、図６に示すように、ＦＰＣ２の端縁が第１ハウジング部１０における係合突起部１５に突き当たるまで、そのＦＰＣ２の係合溝１２の溝内への挿入を行う。
【００３９】
このとき、係合溝１２の溝内に挿入されるＦＰＣ２は、柔軟に曲がる可撓性を有している。また、係合突起部１５には、ＦＰＣ２の挿入側に面して傾斜面１５ａが形成されている。しかも、係合突起部１５は、開口部１４の形成箇所に設けられている。つまり、係合突起部１５における傾斜面１５ａの頂部側には、係合溝１２を構成する壁面が存在しない。
【００４０】
したがって、ＦＰＣ２の端縁が第１ハウジング部１０における係合突起部１５に突き当たった後、さらにＦＰＣ２を係合溝１２の溝内に挿入すると、図７に示すように、ＦＰＣ２の端縁は、傾斜面１５ａによって案内されて係合突起部１５を乗り越えることになる。
【００４１】
その後、さらに、ＦＰＣ２を係合溝１２の溝内に挿入すると、図８に示すように、ＦＰＣ２は、開孔部２ｆに係合突起部１５が嵌るようにそれぞれが係合した状態となる。これにより、ＦＰＣ２には、第１ハウジング部１０が取り付けられるとともに、開孔部２ｆが係合突起部１５との係合によって、その取り付け状態が保持されることになる。
【００４２】
ところで、ＦＰＣ２は、複数の導体２ｂが所定ピッチで並ぶように配されている。そのため、例えば３６芯の導体２ｂが１．５ｍｍピッチで配されている場合、ＦＰＣ２は、両側端の余白領域も含めて、７０ｍｍ程度の幅広に形成されることになる。
その一方で、ＦＰＣ２は、例えば０．３ｍｍ厚程度の薄厚に形成されており、柔軟に曲がる可撓性を有している。
したがって、ＦＰＣ２への第１ハウジング部１０の取り付け状態の保持にあたり、従来のようにＦＰＣ２の両サイド部における係合を利用した保持構造（例えば、特許文献１参照）では、必要十分な保持力が得られるとは限らない。例えば、幅広に形成されたＦＰＣ２に外力が加わった場合には、当該ＦＰＣ２の可撓性により央部領域に撓みが生じてしまい、そのために保持状態が維持されなくなるおそれがある。つまり、両サイド部における部分的な係合では、ＦＰＣ２の幅方向（ピッチ方向）で均一な保持力を得ることが困難であり、結果として必要十分な保持力が得られないおそれがある。
また、両サイド部における部分的な係合によって必要十分な保持力を得ようとすると、例えば、別部品（ハウジング、リテーナ等）の追加、ＦＰＣ２の異形状化、配線パターンの特殊化等が必要となり、ＦＰＣ２等の汎用化への対応が困難になってしまうおそれもある。これらのことは、電線対基板コネクタからの置き換え（コストダウン、作業性改善等）が難しい理由ともなり得る。つまり、汎用化への対応が困難になり得ることは好ましくなく、コスト面および作業性の点でも好ましくない。
【００４３】
このような問題に対して、本実施形態で説明した保持構造では、ＦＰＣ２における開孔部２ｆと第１ハウジング部１０における係合突起部１５との係合によって、当該ＦＰＣ２への当該第１ハウジング部１０の取り付け状態が保持されるようになっている。そして、開孔部２ｆおよび係合突起部１５は、ＦＰＣ２の幅方向（ピッチ方向）の央部近傍領域を含む複数箇所に配されている。つまり、開孔部２ｆおよび係合突起部１５の少なくとも一つは、ピッチ方向の央部領域に配されている。
【００４４】
したがって、本実施形態で説明した保持構造によれば、ピッチ方向の央部領域を含む複数箇所における係合を利用することになるので、ピッチ方向で均一な保持力を得ることが可能であり、その結果として必要十分な保持力が得られるようになる。具体的には、例えばＦＰＣ２に外力が加わった場合であっても、央部領域を含む複数箇所における係合を利用することで、その央部領域にてＦＰＣ２の撓みが生じてしまうのを抑制でき、ＦＰＣ２と第１ハウジング部１０との間の保持状態を適切に維持することができる。
【００４５】
しかも、本実施形態で説明した保持構造では、第１ハウジング部１０の係合溝１２へのＦＰＣ２の挿入のみで、ＦＰＣ２における開孔部２ｆと第１ハウジング部１０における係合突起部１５とを容易に係合させることができる。つまり、別部品（ハウジング、リテーナ等）の追加、ＦＰＣ２の異形状化、配線パターンの特殊化等を必要とすることなく、簡素な構成で容易に必要十分な保持力が得られる。そのため、ＦＰＣ２等の汎用化への対応が困難になってしまうことがなく、部品点数の削減による顧客サイドでのハーネス作業性の向上やコストダウン等に貢献でき、コスト面および作業性の点でも好ましいものとなる。
【００４６】
また、本実施形態で説明した保持構造では、開孔部２ｆおよび係合突起部１５が、ＦＰＣ２の幅方向（ピッチ方向）に沿って、一列に、かつ、等間隔で並ぶように配されている。開孔部２ｆおよび係合突起部１５が一列に並んでいれば、ＦＰＣ２の挿抜方向における係合突起部１５の形成領域を最小限に止めることが可能となり、第１ハウジング部１０の小型化を図る上で好適なものとなる。開孔部２ｆおよび係合突起部１５が等間隔で並んでいれば、ピッチ方向で均一な保持力を得る上で非常に好適なものとなる。
さらに、本実施形態で説明した保持構造では、開孔部２ｆおよび係合突起部１５が、導体２ｂおよび端子面２ｄが並ぶピッチの１つ置きに配されている。したがって、例えば各端子面２ｄの間の全てに開孔部２ｆを設けた場合に比べると、ＦＰＣ２の端部近傍領域の強度を十分に確保し得るようになる。また、ピッチの１つ置き配置により、ＦＰＣ２の強度不足を抑制しつつ、保持力向上が図れるようになる。
【００４７】
（第１ハウジング部と第２ハウジング部との嵌合）
ＦＰＣ２への第１ハウジング部１０の取り付けを行った後は、続いて、第１ハウジング部１０と第２ハウジング部２０とを嵌合させる。
【００４８】
第１ハウジング部１０と第２ハウジング部２０とを嵌合させるためには、図１に示すように、第２ハウジング部２０の嵌合凹部２１に第１ハウジング部１０の嵌合凸部１３を挿入する（図中矢印参照）。そして、第１ハウジング部１０の第１ロック機構部１１と第２ハウジング部２０の第２ロック機構部２２とが互いに係合するまで、嵌合凹部２１への嵌合凸部１３の挿入を行う。第１ロック機構部１１と第２ロック機構部２２とが係合すると、第１ハウジング部１０と第２ハウジング部２０とが嵌合状態になる。
【００４９】
第１ハウジング部１０と第２ハウジング部２０とが嵌合すると、第１ハウジング部１０に取り付けられたＦＰＣ２における各端子面２ｄは、第２ハウジング部２０が備える各リセ端子のそれぞれに接触する。そして、各端子面２ｄと各リセ端子との接触を通じて、ＦＰＣ２と配線基板３との間の電気的な接続が確立されることになる。
【００５０】
（５）本実施形態により得られる効果
本実施形態によれば、以下に示す一つまたは複数の効果が得られる。
【００５１】
（ａ）本実施形態のコネクタ１は、第１ハウジング部１０の係合突起部１５をＦＰＣ２の開孔部２ｆに係合させることによって、当該ＦＰＣ２への当該第１ハウジング部１０の取り付け状態を保持するように構成されている。そして、第１ハウジング部１０の係合突起部１５は、ＦＰＣ２の幅方向（ピッチ方向）の央部近傍領域を含む複数箇所に配されている。つまり、開孔部２ｆおよび係合突起部１５の少なくとも一つは、ピッチ方向の央部領域に配されている。
したがって、本実施形態によれば、ピッチ方向の央部領域を含む複数箇所における係合を利用することになるので、ピッチ方向で均一な保持力を得ることが可能であり、その結果として必要十分な保持力が得られるようになる。具体的には、例えばＦＰＣ２に外力が加わった場合であっても、央部領域を含む複数箇所における係合を利用することで、その央部領域にてＦＰＣ２の撓みが生じてしまうのを抑制でき、ＦＰＣ２と第１ハウジング部１０との間の保持状態を適切に維持することができる。
しかも、本実施形態によれば、第１ハウジング部１０の係合溝１２へのＦＰＣ２の挿入のみで、ＦＰＣ２における開孔部２ｆと第１ハウジング部１０における係合突起部１５とを容易に係合させることができる。つまり、別部品（ハウジング、リテーナ等）の追加、ＦＰＣ２の異形状化、配線パターンの特殊化等を必要とすることなく、簡素な構成で容易に必要十分な保持力が得られる。そのため、ＦＰＣ２等の汎用化への対応が困難になってしまうことがなく、部品点数の削減による顧客サイドでのハーネス作業性の向上やコストダウン等に貢献でき、コスト面および作業性の点でも好ましいものとなる。
つまり、本実施形態のコネクタ１によれば、ＦＰＣ２について簡素な構成で必要十分な保持力を得ることが可能になる。
【００５２】
（ｂ）本実施形態のコネクタ１によれば、第１ハウジング部１０における係合突起部１５が、ＦＰＣ２の幅方向（ピッチ方向）に沿って一列に並ぶように配されている。したがって、ＦＰＣ２の挿抜方向における係合突起部１５の形成領域を最小限に止めることが可能となり、第１ハウジング部１０の小型化を図る上で好適なものとなる。
【００５３】
（ｃ）本実施形態のコネクタ１によれば、第１ハウジング部１０における係合突起部１５が、ＦＰＣ２の幅方向（ピッチ方向）に沿って等間隔で並ぶように配されている。したがって、ピッチ方向で均一な保持力を得る上で非常に好適なものとなる。
【００５４】
（ｄ）本実施形態のコネクタ１によれば、第１ハウジング部１０における係合突起部１５が、ＦＰＣ２において複数の導体２ｂが並ぶピッチの１つ置きに配されている。したがって、例えば各端子面２ｄの間の全てに開孔部２ｆを設けた場合に比べると、ＦＰＣ２の端部近傍領域の強度を十分に確保し得るようになる。また、ピッチの１つ置き配置により、ＦＰＣ２の強度不足を抑制しつつ、保持力向上が図れるようになる。
【００５５】
（ｅ）本実施形態のコネクタ１によれば、第１ハウジング部１０における係合突起部１５について、平面視した形状が円状（丸穴形状、長円形状、楕円形状、コーナＲを設けた四角形状等）に形成されている。つまり、係合突起部１５は、円状に形成された開孔部２ｆと係合する形状を有している。したがって、係合相手である開孔部２ｆについても円状に形成されることになるので、例えば隅部または角部のように応力集中が発生する箇所が存在せず、薄厚のＦＰＣ２に応力集中による破損等が生じてしまうのを抑制することができる。なお、円状が丸穴形状であれば、係合突起部１５と開孔部２ｆとの係合の容易化を図る上で好適なものとなる。また、円状が長円形状、楕円形状、コーナＲを設けた四角形状等であれば、丸穴形状の場合よりも、係合突起部１５の強度を高める上で好適なものとなる。
【００５６】
（ｆ）本実施形態のコネクタ１によれば、第１ハウジング部１０における係合突起部１５が、ＦＰＣ２の挿入側に面して形成された傾斜面を有している。したがって、ＦＰＣ２の端縁が傾斜面１５ａによって案内されて係合突起部１５を乗り越えることになり、第１ハウジング部１０の係合溝１２へのＦＰＣ２の挿入のみで、ＦＰＣ２における開孔部２ｆと第１ハウジング部１０における係合突起部１５とを容易に係合させることができる。つまり、簡素な構成で容易に必要十分な保持力が得られるようになり、コスト面および作業性の点で非常に好ましいものとなる。
【００５７】
（６）変形例等
以上、本発明の一実施形態を具体的に説明したが、本発明は上述の実施形態に限定されるものではなく、その要旨を逸脱しない範囲で適宜変更可能である。
【００５８】
上述の実施形態では、主として、フレキシブル導電部材２がＦＰＣである場合を例に挙げたが、本発明がこれに限定されることはなく、フレキシブル導電部材２がＦＦＣである場合でも全く同様に適用することが可能である。つまり、所定ピッチで並ぶ複数の導体を有するフレキシブル導電部材に用いるコネクタであれば、本発明を適用することが可能である。
【００５９】
また、上述の実施形態では、係合突起部１５がピッチ方向に沿って一列に並ぶように配されている場合を例に挙げたが、本発明がこれに限定されることはない。例えば、係合突起部１５が並ぶ列は、湾曲していてもよいし、千鳥状に配されていてもよい。このようにすれば、ＦＰＣ２が係合突起部１５を乗り越える際に必要とする当該ＦＰＣ２の挿入力を、係合突起部１５が一列に並ぶ場合に比べて軽減し得るようになる。つまり、係合突起部１５が並ぶ列は、様々なフレキシブル導電部材２や配線基板３等に適切に対応し得るように、適宜設定されたものであればよい。
【００６０】
また、上述の実施形態では、係合突起部１５がピッチ方向に沿って等間隔で並ぶように配されている場合を例に挙げたが、本発明がこれに限定されることはない。
例えば、係合突起部１５は、ピッチ方向に沿って疎密を有した間隔で並ぶように配されていてもよい。このように、係合突起部１５が疎密を有した間隔で並んでいれば、その粗密に応じて保持力を調整し得るようになる。具体的には、高い保持力が必要な領域については係合突起部１５を密に並べ、保持力が低くても構わない領域については係合突起部１５を疎に並べる、といったことが実現可能となる。
さらに、例えば、係合突起部１５は、ピッチ方向の央部を挟んで非対称に配されていてもよい。このように、係合突起部１５が非対称な間隔で並んでいれば、フレキシブル導電部材２の逆挿しを未然に防止することが実現可能となる。
【符号の説明】
【００６１】
１…コネクタ、２…フレキシブル導電部材（ＦＰＣ、ＦＦＣ）、２ａ…支持体、２ｂ…導体、２ｃ…絶縁カバー、２ｄ…端子面、２ｅ…補強板、２ｆ…開孔部、３…配線基板、１０…第１ハウジング部、１１…第１ロック機構部、１２…係合溝、１３…嵌合凸部、１４…開口部、１５…係合突起部、１５ａ…傾斜面、２０…第２ハウジング部、２１…嵌合凹部、２２…第２ロック機構部
【図１】
2019145309.tif 000003
【図２】
2019145309.tif 000004
【図３】
2019145309.tif 000005
【図４】
2019145309.tif 000006
【図５】
2019145309.tif 000007
【図６】
2019145309.tif 000008
【図７】
2019145309.tif 000009
【図８】
2019145309.tif 000010